(57)【要約】      （修正有）【課題】バイノーラルブルートゥース（登録商標）イヤホーンの収納ケースを提供する。【解決手段】収納ケースは、ケース本体３０、バッテリー及び回路板、充電コネクタ５、パネル５０、及びカバー１０を備え、左イヤホーン４０の残量及び充電状態を表示するための第１残量インジケータ２と、右イヤホーン２０の残量及び充電状態を表示する第２残量インジケータ３とをさらに備え、回路板は、左イヤホーンの残量を検出するための第１残量検出ユニットと、右イヤホーンの残量を検出するための第２残量検出ユニットとを備える。収納ケースでは、イヤホーンの収納中に、左イヤホーンの残量及び右イヤホーンの残量を常に把握することができ、イヤホーンを使用するときに電力がないことを回避することができる。【選択図】図１
0003224324.tif 000002
【実用新案登録請求の範囲】
【請求項１】
ケース本体（３０）と、
前記ケース本体（３０）の内部に配置され、前記イヤホーンを充電するためのバッテリー（６）及び回路板（４）と、
前記ケース本体（３０）に配置され、外部電源から前記バッテリー（６）を充電するための充電コネクタ（５）と、
前記ケース本体（３０）の内部に配置され、前記バッテリー（６）と前記回路板（４）とを封止するパネル（５０）であって、左イヤホーン（４０）と右イヤホーン（２０）とをそれぞれ収納する２つのイヤホーン収納室（３１）を有し、２つの前記イヤホーン収納室（３１）には、２つの前記イヤホーン収納室（３１）に収納された左イヤホーン（４０）と右イヤホーン（２０）とを前記回路板（４）と導通してイヤホーンを充電するための接触電極（７）がそれぞれ配置されるパネル（５０）と、
前記ケース本体（３０）を密閉するためのカバー（１０）とを備えるバイノーラルブルートゥース（登録商標）イヤホーンの収納ケースであって、
左イヤホーン（４０）の残量及び充電状態を表示するための第１残量インジケータ（２）と、右イヤホーン（２０）の残量及び充電状態を表示するための第２残量インジケータ（３）とをさらに備え、前記回路板（４）は、左イヤホーン（４０）の残量を検出するための第１残量検出ユニット（４３）と、右イヤホーン（２０）の残量を検出するための第２残量検出ユニット（４４）とを有することを特徴とするバイノーラルブルートゥース（登録商標）イヤホーンの収納ケース。
【請求項２】
前記収納ケースは、前記バッテリー（６）の残量及び充電状態を表示するための第３残量インジケータ（１）をさらに備え、前記回路板（４）は、前記バッテリー（６）の残量を検出するための第３残量検出ユニット（４２）をさらに備えることを特徴とする請求項１に記載のバイノーラルブルートゥース（登録商標）イヤホーンの収納ケース。
【請求項３】
前記充電コネクタ（５）は、ＵＳＢ−Ａ型コネクタ又はＵＳＢ−Ｃ型コネクタであることを特徴とする請求項２に記載のバイノーラルブルートゥース（登録商標）イヤホーンの収納ケース。
【請求項４】
前記カバー（１０）は、透明材料又は半透明材料で製造されることを特徴とする請求項２に記載のバイノーラルブルートゥース（登録商標）イヤホーンの収納ケース。
【考案の詳細な説明】
【技術分野】
【０００１】
本考案は、ブルートゥース(登録商標)イヤホーン収納ケースに関し、特にバイノーラルブルートゥース(登録商標)イヤホーンの収納ケースに関する。
【背景技術】
【０００２】
収納中にブルートゥース(登録商標)イヤホーンを充電できるように、ブルートゥース(登録商標)イヤホーンの収納ケースには、バッテリー及び回路板が配置され、且つイヤホーン収納室には、接触電極が配置され、ブルートゥース(登録商標)イヤホーンが収納室に収納されると、イヤホーンにおける充電インターフェイスがイヤホーン収納室の接触電極に接続されて、回路板がイヤホーンを充電するようにバッテリーを制御する。ブルートゥース(登録商標)イヤホーンの収納ケースには、イヤホーンの残量及び充電中であるか否かを示す残量インジケータがさらに配置されるものがある。
【０００３】
しかしながら、上記収納ケースでは、接触電極を介してイヤホーンに電気的に接続するため、イヤホーンが正確な位置にセットされていない、又は何かの原因で接触電極とイヤホーンの接触不良が生じた場合、イヤホーンを充電することは不可能であり、その結果、次回使用する時にイヤホーンを正常に使用することはできない。上記残量インジケータは、充電中であるか否かを表示できるものの、残量表示ユニットが１つしかない。その一方、バイノーラルブルートゥース(登録商標)イヤホーンの左イヤホーンと右イヤホーンが互いに独立したものであり、それぞれ給電バッテリーを内蔵しており、残量インジケータに接続されていないイヤホーンと接触電極との接触不良が生じた場合、これに気付くことができず、その結果、イヤホーンを次回使用するときに電力がないことがある。
【考案の概要】
【考案が解決しようとする課題】
【０００４】
本考案の目的は、従来技術に存在する上記欠点を解決するために、バイノーラルブルートゥース(登録商標)イヤホーンの収納ケースを提供することである。
【課題を解決するための手段】
【０００５】
上記目的を達成するために、本考案は、下記技術案を採用する。
【０００６】
ケース本体と、
前記ケース本体の内部に配置され、前記イヤホーンを充電するためのバッテリー及び回路板と、
前記ケース本体に配置され、外部電源から前記バッテリーを充電するための充電コネクタと、
前記ケース本体の内部に配置され、前記バッテリーと前記回路板とを封止するパネルであって、左イヤホーンと右イヤホーンをそれぞれ収納する２つのイヤホーン収納室を有し、２つの前記イヤホーン収納室には、２つの前記イヤホーン収納室に収納された左イヤホーンと右イヤホーンとを前記回路板と導通してイヤホーンを充電するための接触電極がそれぞれ配置されるパネルと、
前記ケース本体を密閉するためのカバーとを備えるバイノーラルブルートゥース(登録商標)イヤホーンの収納ケースであって、
前記収納ケースは、左イヤホーンの残量及び充電状態を表示するための第１残量インジケータと、右イヤホーンの残量及び充電状態を表示するための第２残量インジケータとをさらに備え、前記回路板は、左イヤホーンの残量を検出するための第１残量検出ユニットと、右イヤホーンの残量を検出するための第２残量検出ユニットとを有する。
【０００７】
好ましくは、前記収納ケースは、前記バッテリーの残量及び充電状態を表示するための第３残量インジケータをさらに備え、前記回路板は、前記バッテリーの残量を検出するための第３残量検出ユニットをさらに備える。
【０００８】
好ましくは、前記充電コネクタは、ＵＳＢ−Ａ型コネクタ又はＵＳＢ−Ｃ型コネクタである。
【０００９】
好ましくは、前記カバーは、透明材料又は半透明材料で製造される。このようにすると、カバーを開けずにパネルにおける残量インジケータを見えるため、より使用しやすくなる。
【考案の効果】
【００１０】
従来技術に比べて、本考案は、少なくとも以下の有益な効果を有する。
イヤホーンの収納中に、左イヤホーンの残量及び右イヤホーンの残量を常に把握することができ、イヤホーンを使用するときに電力がないことを回避することができる。
【図面の簡単な説明】
【００１１】
【図１】バイノーラルブルートゥース(登録商標)イヤホーンの収納ケースの構造であり、図１には、右イヤホーンが引き出された状態である。
【図２】回路ブロック図である。
【考案を実施するための形態】
【００１２】
以下、図面及び実施例にて本考案をさらに説明する。
【００１３】
本願は、バイノーラルブルートゥース(登録商標)イヤホーンの収納ケースを使用するときに、接触電極７とイヤホーンとの接触不良によりイヤホーンが充電されないという問題を解決することを意図する。
【００１４】
図１−図２を参照すると、本バイノーラルブルートゥース(登録商標)イヤホーンの収納ケースは、ケース本体３０と、前記ケース本体３０の内部に配置され、前記イヤホーンを充電するためのバッテリー６及び回路板４と、前記ケース本体３０に配置され、外部電源から前記バッテリー６を充電するための充電コネクタ５と、前記ケース本体３０の内部に配置され、前記バッテリー６と前記回路板４とを封止するためのパネル５０と、前記ケース本体３０を封止するカバー１０とを備える。前記パネル５０は、左イヤホーン４０と右イヤホーン２０とをそれぞれ収納する２つのイヤホーン収納室３１を有し、２つの前記イヤホーン収納室３１には、２つの前記イヤホーン収納室３１に収納された左イヤホーン４０と右イヤホーン２０とを前記回路板４と導通してイヤホーンを充電するための接触電極７がそれぞれ配置される。
【００１５】
パネル５０には、左イヤホーン４０の残量及び充電状態を表示するための第１残量インジケータ２と、右イヤホーン２０の残量及び充電状態を表示するための第２残量インジケータ３とがさらに配置される。前記回路板４は、左イヤホーン４０の残量を検出するための第１残量検出ユニット４３と、右イヤホーン２０の残量を検出するための第２残量検出ユニット４４とを有する。本実施例では、第１残量インジケータ２は、１組の短柵状バーであり、短柵状バーの数が多いほど、残量が多いことを示し、短柵状バーの数が少ないほど、残量が少ないことを示し、第２残量インジケータ３も、このような指示モードを用いる。
【００１６】
左イヤホーン４０及び右イヤホーン２０が対応するイヤホーン収納室３１に収納されると、イヤホーン収納室３１における接触電極７は、イヤホーンにおける充電インターフェイスに電気的に接続され、バッテリー６は、対応する接触電極７を介して左イヤホーン４０及び右イヤホーン２０を充電する。一方、第１残量検出ユニット４３、第２残量検出ユニット４４は、それぞれ左イヤホーン４０の残量と右イヤホーン２０の残量を検出し、制御器４１は、検出結果を第１残量インジケータ２と第２残量インジケータ３に出力し、それぞれ左イヤホーン４０の残量及び右イヤホーン２０の残量を表示させる。
【００１７】
左イヤホーン４０及び右イヤホーン２０の両方に残量インジケータがそれぞれ配置されているため、左イヤホーン４０及び右イヤホーン２０の残量及び充電中であるか否かを常に把握することができ、いずれかのイヤホーンが充電されていないという現象にタイムリーに気付くことができる。
【００１８】
さらに、前記収納ケースは、前記バッテリー６の残量及び充電状態を表示するための第３残量インジケータ１をさらに備え、前記回路板４は、前記バッテリー６の残量を検出するための第３残量検出ユニット４２をさらに備える。このように、バッテリー６の残量を常に把握して、バッテリー６をタイムリーに充電することができる。本実施例では、第３残量インジケータ１は、デジタルモードを用いており、１００で電力がいっぱいであることを表し、０は電力が空になったことを表す。
【００１９】
前記充電コネクタ５は、好ましくは、ＵＳＢ−Ａ型コネクタ又はＵＳＢ−Ｃ型コネクタである。
【００２０】
さらに、前記カバー１０は、透明材料又は半透明材料で製造される。このようにすると、カバー１０を開けずにパネル５０における残量インジケータを見えるため、より使用しやすくなる。カバー１０は、非透明材料を用いってもよく、この場合、各残量インジケータに対応する位置に覗き窓を設置する。
【００２１】
以上は、具体的な実施例にて本考案を詳細に説明したが、これら詳細な説明は、当業者が本考案の内容を理解できるようにするためのものに過ぎず、本考案の保護範囲を制限するものではない。当業者が本考案の思想に基づいて上記形態について行う様々な修飾、等価置換は、すべて本考案の保護範囲に含まれる。
【符号の説明】
【００２２】
１、第３残量インジケータ；２、第１残量インジケータ；３、第２残量インジケータ；４、回路板；４１、制御器；４２、第３残量検出ユニット；４３、第１残量検出ユニット；４４、第２残量検出ユニット；５、充電コネクタ；６、バッテリー；７、接触電極；１０、カバー；２０、右イヤホーン；３０、ケース本体；３１、イヤホーン収納室；４０、左イヤホーン；５０、パネル。
【図１】
0003224324.tif 000003
【図２】
0003224324.tif 000004